(57)【要約】      （修正有）【課題】燃料等を磁気処理し、燃焼効率の改善及び有害な汚染物質の放出を低減する。【解決手段】少なくとも１個の流路１３を備える磁気流体処理装置６であって、該または各流路は少なくとも２個の周囲に配置された磁石１０を有しており、装置は、使用中に、流路内を流れる流体が磁界にさらされるように流体供給コンジットと協働するように適応されており、ここにおいて、少なくとも２個の磁石は、該または各々の流路の両側に配置されており、約９０ｍｍ未満の分離を有する。さらに、少なくとも１個の流路を備える磁気流体処理装置であって、該または各流路は少なくとも１個の周囲に配置された磁石を有しており、ここにおいて、少なくとも１個の磁石は装置の本体区画に脱着可能に受け入れられている。【選択図】図２１
2010060277.tif 000002
【特許請求の範囲】
【請求項１】
少なくとも１個の流路を備える磁気流体処理装置であって、前記流路は少なくとも１個の周囲に配置された磁石である外部磁石を有しており、前記外部磁石は前記磁気流体処理装置の本体に脱着可能に取り付けられていることを特徴とする磁気流体処理装置。
【請求項２】
前記本体区画は非鉄金属であることを特徴とする請求項１に記載の磁気流体処理装置。
【請求項３】
前記流路内に少なくとも１個の内部磁石をさらに備えることを特徴とする請求項１または２に記載の磁気流体処理装置。
【請求項４】
前記磁気流体処理装置は、既存の流体供給管に嵌着されることを特徴とする請求項１〜３のいずれか１項に記載の磁気流体処理装置。
【請求項５】
前記磁気流体処理装置は、磁石カートリッジを脱着可能に保持する保持手段によって装置内部で適位置に保持される１個以上の内部交換可能磁石カートリッジを備えており、前記内部交換可能磁石カートリッジは前記流路を副次流路に分割することを特徴とする請求項１〜４のいずれか１項に記載の磁気流体処理装置。
【請求項６】
前記磁気流体処理装置および／またはその流路の流体流動面積と前記磁気流体処理装置が取り付けられる流体供給管の流体流動面積との比率は、ほぼ１：１．２〜１：２．５であることを特徴とする請求項１〜５のいずれか１項に記載の磁気流体処理装置。
【請求項７】
前記内部磁石カートリッジおよび／または外部磁石カートリッジの内部の磁石は、前記カートリッジの磁界を通過する燃料、および装置が取り付けられる流体供給管の径と少なくとも１個の磁石が延在する流路の区間の長さとの比率に応じて別様に構成されることを特徴とする請求項１〜６のいずれか１項に記載の磁気流体処理装置。
【請求項８】
前記内部磁石カートリッジおよび／または外部磁石カートリッジの内部の磁石の極性の配列は、燃料の種別および品質、燃料温度、燃料圧力、磁化と燃焼との間の時間および／または装置の所要のドウェル長さ比に従って変化することを特徴とする請求項１〜６のいずれか１項に記載の磁気流体処理装置。
【請求項９】
前記磁界は流体の流れにほぼ直角に形成されることを特徴とする請求項7または８に記
載の磁気流体処理装置。
【発明の詳細な説明】
【技術分野】
【０００１】
本発明は、燃焼用装置のバーナに供給される前の燃料等を磁気処理するための磁気流体処理装置に関する。
【背景技術】
【０００２】
燃料燃焼効率を改善するための燃焼以前の燃料の磁気処理は、すでに知られている。化石燃料を磁化するための多くの単純な装置機械が存在し、その場合、磁石が例えば９０℃といった種々の角分離で燃料管の周りに固定される。
【０００３】
磁石が燃料管内に保持されている別の装置が開示されている（例えば欧州特許第０９７６６８２Ａ２号）。この装置は、磁石が燃料管の外部に固定されているより単純な装置についての上述の不利益の一部を克服する。しかし、燃料を磁化する際の機構および結果として生じる燃焼効率の増大の理解の不足のために、そのような装置は関与する種々のファクタに関して最適化されなかった。
【０００４】
これまでの装置は、ストレートインライン形に設置されるか、燃料の複雑な流路を使用する複雑な特注品であるかのどちらかであった。ストレートインライン形装置は比較的低コストとして知られているが、それらは広範囲の燃焼システムにわたる著しい燃料効率の向上を未だに示していない。他の装置は、効果的ではあるが、増大した燃料効率から得られるコスト節減に比べて過度に高額であることがわかっている。
【０００５】
化学的見地からすれば、燃焼は、一酸化炭素または二酸化炭素への炭素の酸化を伴う燃料の急激な高温発火である。一酸化炭素の放出レベルは、それが炭素燃料の不完全な酸化の結果であるので、燃焼プロセスの効率を広範に示すことが知られている。
【０００６】
燃料中に存在するいずれかの硫黄は条件に応じて二酸化物または三酸化物の形態に酸化するのに対し、窒素は、存在する場合、未反応のままであるか、または酸化窒素に転化する。ほとんどの燃焼反応は、固体燃料中の固定炭素の燃焼を除き、気相で生じる。
【０００７】
磁化の利益は、燃料が燃焼前に磁界中を通された時に燃焼の向上が認められたというファンデルワールス博士による発見後１世紀以上にわたり知られてきた。
【発明の概要】
【発明が解決しようとする課題】
【０００８】
本発明の第１の態様によれば、少なくとも１個の流路を備える磁気流体処理装置であって、該または各流路は少なくとも２個の周囲に配置された磁石を有しており、装置は、使用中に、流路内を流れる流体が磁界にさらされるように流体供給コンジットと協働するように適応されており、ここにおいて、少なくとも２個の磁石は、該または各々の流路の両側に配置されており、約９０ｍｍ未満の分離を有する。
【０００９】
本発明の第２の態様によれば、少なくとも１個の流路を備える磁気流体処理装置が提供され、該または各流路は少なくとも１個の周囲に配置された磁石を有しており、装置は、使用中に、流路内を流れる流体が磁界にさらされるように流体供給コンジットと協働するように適応されており、流体供給コンジットの断面積と該流路または全部の流路の全断面積の比率は１：１．１〜１：２．８の範囲にある。
【００１０】
本発明の第３の態様によれば、少なくとも１個の流路を備える磁気流体処理装置であっ
て、該または各流路は少なくとも１個の周囲に配置された磁石を有しており、装置は、使用中に、流路内を流れる流体が磁界にさらされるように流体供給コンジットと協働するように適応されており、ここにおいて、少なくとも１個の流体供給コンジットの幅と少なくとも１個の磁石が延在する少なくとも１個の流路の区間の長さとの比率はほぼ１：２０〜１：４０の範囲にある。
【００１１】
本発明の第４の態様によれば、少なくとも１個の流路を備える磁気流体処理装置であって、該または各流路は少なくとも１個の周囲に配置された磁石を有しており、装置は、使用中に、流路内を流れる流体が磁界にさらされるように流体供給コンジットと協働するように適応されており、ここにおいて、少なくとも１個の磁石が延在する少なくとも１個の流路の区間における磁界の強さは０．０２Ｔないし１．０Ｔである。
【００１２】
上記の態様のいずれについても、以下は好ましい特徴である。
【００１３】
流体は燃料であるとしてよい。流体は、微粉炭、ガスおよび油といった流体特性を有する物質を含み得る。
【００１４】
流体供給コンジットの断面積と該または全部の流路の全断面積との比率は、１：１．２〜１：２．４、好ましくは１：１．６〜１：２．４、より好ましくは１：１．８〜１：２．２の範囲にあるとしてよい。
【００１５】
少なくとも２個の磁石が該または各流路の両側に設けられる場合、分離は、約８０ｍｍ未満、好ましくは約７５ｍｍ未満、より好ましくは６０ｍｍにほぼ等しいかまたはそれ未満としてよい。
【００１６】
少なくとも１個の流体供給コンジットの幅と少なくとも１個の磁石が延在する少なくとも１個の流路の区間の長さとの比率は、ほぼ１：２２〜１：３０の範囲、好ましくは約１：２４〜１：２６、そして最も好ましくは約１：２４であるとしてよい。
【００１７】
少なくとも１個の磁石が延在する少なくとも１個の流路の区間における磁界の強さは、約０．０２５Ｔないし０．５Ｔ、そしてより好ましくは０．１Ｔないし０．５Ｔであるとしてよい。
【００１８】
本発明の第５の態様によれば、磁気流体処理装置は、少なくとも１個の流路を備えており、該または各流路は少なくとも１個の周囲に配置された磁石を有しており、ここにおいて、少なくとも１個の磁石は装置の本体区画に脱着可能に受け入れられている。
【００１９】
本体区画は好ましくは非鉄金属である。本体区画はフェライト鋼または電炉鋼で作られているとしてよい。
【００２０】
装置は、流路内に少なくとも１個の内部磁石を組み入れてもよい。前記少なくとも１個の内部磁石は流路からシールされた区画に配置され得る。少なくとも１個の内部磁石は本体区画の非磁性区間に収容され得る。
【００２１】
脱着可能な磁石の備えは、装置の特性を変更するために磁石が容易に再構成または交換できるので、有利である。
【００２２】
装置は既存の流体供給コンジット内に嵌着され得る。
【００２３】
装置は、例えば、鋼、ステンレス鋼、銅、アルミニウム、銅ニッケル合金、プラスチッ
クまたは炭素繊維といった非磁性材料から作られ得る。
【００２４】
装置は、内部交換可能磁石カートリッジ（単数または複数）を組み入れてもよい。
【００２５】
装置の長さは１０ｃｍ〜４００ｃｍとしてよい。内部脱着可能磁石カートリッジ（単数または複数）は５ｃｍ〜３５０ｃｍの長さを有し得る。
【００２６】
内部交換可能磁石カートリッジ（単数または複数）は、脱着可能磁石カートリッジ（単数または複数）が嵌入し得る保持手段によって装置内部で適位置に保持され得る。
【００２７】
内部交換可能磁石カートリッジは、流路を副次流路（単数または複数）に分割し得る。
【００２８】
装置および／またはその流路（単数または複数）の流体流動面積と流体供給コンジットの燃料流動面積との比率は、１：１．１〜１：２５、好ましくは１：２であるとしてよい。
【００２９】
内部脱着可能磁石カートリッジ（単数または複数）は、隣接する副次流路（単数または複数）間に少なくとも１個の導流器を含み得る。
【００３０】
内部交換磁石カートリッジ（単数または複数）は、例えば±１０％広いかまたは狭いか、流路とほぼ同じ幅であるとしてよい。
【００３１】
内部磁石カートリッジ（単数または複数）は、少なくとも１個の磁石を含み得る。
【００３２】
内部磁石カートリッジ（単数または複数）は、非磁性材料といった磁石を絶縁し、かつ／または収容する材料で作られたコンジットを形成し得る。
【００３３】
内部磁石カートリッジ（単数または複数）は、カートリッジ（単数または複数）内に磁石を絶縁する金属で作られた分離板を有することができ、その金属はフェライト鋼または電炉鋼であるとしてよい。
【００３４】
該または各流路は、装置の外部に配置された外部脱着可能磁石カートリッジ（単数または複数）を有し得る。
【００３５】
外部脱着可能磁石カートリッジは外部ハウジング内に配置され得る。外部ハウジングは複数の区画を含むかもしれず、それらが一緒に固定され得るように構成され得る。
【００３６】
外部ハウジングは、装置の残部の周りに配置され得て、装置の保持手段によって保持され得る。
【００３７】
外部ハウジングは、外部脱着可能磁石カートリッジ（単数または複数）が取付または取り外しできるようにするために脱着可能であるとしてよい。
【００３８】
外部ハウジングは、フェライト鋼または電炉鋼のものとしてよい。
【００３９】
外部交換磁石カートリッジ（単数または複数）は、好ましくは±１０％で、流路とほぼ同じ幅であるとしてよい。
【００４０】
外部磁石カートリッジ（単数または複数）は、少なくとも１個の磁石を含み得る。
【００４１】
外部磁石カートリッジ（単数または複数）は、非磁性材料といった磁石を絶縁し、かつ／または収容する材料で作られたコンジットであるとしてよい。
【００４２】
内部磁石カートリッジおよび外部磁石カートリッジの内部の磁石は、カートリッジ（単数または複数）の磁界を通過し得る燃料および、流路の幅と少なくとも１個の磁石が延在する流体供給コンジットの区間の長さとの比率（ドウェル長さ比）に応じて別様に構成され得る。
【００４３】
本発明のいずれかの態様における使用に適格な磁石は、例えば、焼結フェライト磁石、希土類磁石、サマリウムコバルト磁石、焼結ネオジム−鉄−ボロン磁石、アルニコ磁石およびニッケル磁石を含む。
【００４４】
外部磁石カートリッジ（単数または複数）および／または内部磁石カートリッジ（単数または複数）の内部の磁石の数は、流体供給コンジットの幅と少なくとも１個の磁石が延在する少なくとも１個の流路の区間の長さとの比率（ドウェル長さ比）に依存して異なり得る。
【００４５】
内部磁石カートリッジ（単数または複数）および外部磁石カートリッジ（単数または複数）の内部の磁石の極性の配列は、燃料の種別および品質、燃料温度、燃料圧力、磁化と燃焼との間の時間および装置の所要のドウェル長さ比に従って変化し得る。
【００４６】
好ましくは、磁界（単数または複数）は燃料の流れにほぼ直角に適用される。
【００４７】
装置の少なくとも一端には、装置が取り付けられ得る管製品の寸法までコンジットの寸法を縮小し得る円錐体に取り付けられ得る。
【００４８】
装置の少なくとも一端はアクセスフランジに取り付けられ得る。
【００４９】
アクセスフランジは、内部脱着可能磁石カートリッジ（単数または複数）を流路に装着または取り外しが可能な寸法のものとしてよい。
【００５０】
流路の少なくとも一端には、装置が取り付けられ得る管製品の寸法まで流路の寸法を縮小し得る円錐体に取り付けられた第２のアクセスフランジを有し得る。
【００５１】
２つのアクセスフランジは、流路の継続部を形成するために相互に取り付けられ得る。
【００５２】
フランジおよび／またはねじ山が端円錐体に取り付けられ得て、それによりユニットが嵌着され得る管製品にユニットが設置されるのを可能にし得る。
【００５３】
本発明の別の態様によれば、少なくとも１個以上の装置が、効率節減が達成されるのを保証するために要求されるドウェル長さ比を維持するために既存の管製品に嵌着され得る。
【００５４】
コンジット分岐が、１個以上の装置が装置の群に設置されるのを可能にするために使用され得る。
【００５５】
ここに記載された特徴の全部は、上記の態様のいずれかと、あらゆる組合せにおいて結合され得る。
【図面の簡単な説明】
【００５６】
【図１ａ】実証実験の期間中の燃料流量および圧力のグラフを示す。
【図１ｂ】実証実験の期間中の燃料流量および圧力のグラフを示す。
【図１ｃ】実証実験の期間中の燃料流量および圧力のグラフを示す。
【図２ａ】実証実験の期間中のバーナ先端およびバーナの上流の地点における燃料温度のグラフを示す。
【図２ｂ】実証実験の期間中のバーナ先端およびバーナの上流の地点における燃料温度のグラフを示す。
【図２ｃ】実証実験の期間中のバーナ先端およびバーナの上流の地点における燃料温度のグラフを示す。
【図３ａ】実証実験の期間中のウインドボックス温度のグラフを示す。
【図３ｂ】実証実験の期間中のウインドボックス温度のグラフを示す。
【図３ｃ】実証実験の期間中のウインドボックス温度のグラフを示す。
【図４ａ】実証実験の期間中のバーナの合計空気流量のグラフを示す。
【図４ｂ】実証実験の期間中のバーナの合計空気流量のグラフを示す。
【図４ｃ】実証実験の期間中のバーナの合計空気流量のグラフを示す。
【図５ａ】実証実験の期間中の一次、二次および三次燃料比のグラフを示す。
【図５ｂ】実証実験の期間中の一次、二次および三次燃料比のグラフを示す。
【図５ｃ】実証実験の期間中の一次、二次および三次燃料比のグラフを示す。
【図６ａ】実証実験の期間中の燃焼室温度のグラフを示す。
【図６ｂ】実証実験の期間中の燃焼室温度のグラフを示す。
【図６ｃ】実証実験の期間中の燃焼室温度のグラフを示す。
【図７ａ】実証実験の期間中の燃料ガスダクト温度プロフィールのグラフを示す。
【図７ｂ】実証実験の期間中の燃料ガスダクト温度プロフィールのグラフを示す。
【図７ｃ】実証実験の期間中の燃料ガスダクト温度プロフィールのグラフを示す。
【図８ａ】実証実験の期間中のスタック酸素排出物レベルのグラフを示す。
【図８ｂ】実証実験の期間中のスタック酸素排出物レベルのグラフを示す。
【図８ｃ】実証実験の期間中のスタック酸素排出物レベルのグラフを示す。
【図９ａ】実証実験の期間中の二酸化炭素排出物レベルのグラフを示す。
【図９ｂ】実証実験の期間中の二酸化炭素排出物レベルのグラフを示す。
【図９ｃ】実証実験の期間中の二酸化炭素排出物レベルのグラフを示す。
【図１０ａ】実証実験の期間中の一酸化炭素排出物レベルのグラフを示す。
【図１０ｂ】実証実験の期間中の一酸化炭素排出物レベルのグラフを示す。
【図１１ａ】磁気強化装置の使用（または使用しない場合）によって差異が認められた一酸化炭素対スタック酸素のグラフを示す。
【図１１ｂ】磁気強化装置の使用（または使用しない場合）によって差異が認められた一酸化炭素対スタック酸素のグラフを示す。
【図１２】実証実験の第２日の二次：三次空気比の関数としての一酸化炭素レベルのグラフを示す。
【図１３ａ】実証実験の期間中にＵ字管出口で測定されたＳＯ２レベルのグラフを示す。
【図１３ｂ】実証実験の期間中にＵ字管出口で測定されたＳＯ２レベルのグラフを示す。
【図１３ｃ】実証実験の期間中にＵ字管出口で測定されたＳＯ２レベルのグラフを示す。
【図１４ａ】実証実験の期間中のＮＯｘレベルのグラフを示す。
【図１４ｂ】実証実験の期間中のＮＯｘレベルのグラフを示す。
【図１４ｃ】実証実験の期間中のＮＯｘレベルのグラフを示す。
【図１５ａ】実証実験の期間中のスタック酸素レベルに対する一酸化窒素レベルのグラフを示す。
【図１５ｂ】実証実験の期間中のスタック酸素レベルに対する一酸化窒素レベルのグラフを示す。
【図１６ａ】実証実験の期間中の一酸化窒素レベル対二次：三次空気比のグラフを示す。
【図１６ｂ】実証実験の期間中の一酸化窒素レベル対二次：三次空気比のグラフを示す。
【図１７ａ】実証実験の経過中の温度の基本的変動のグラフを示す。
【図１７ｂ】実証実験の経過中の温度の基本的変動のグラフを示す。
【図１７ｃ】実証実験の経過中の温度の基本的変動のグラフを示す。
【図１８ａ】実証実験の期間中に差異が認められた磁石およびダミーユニット結果によるスタック酸素含量の関数としての燃焼室温度データを示す。
【図１９ａ】実証実験の期間中の二次：三次空気流量比対スタック酸素レベルのグラフを示す。
【図１９ｂ】実証実験の期間中の二次：三次空気流量比対スタック酸素レベルのグラフを示す。
【図２０】実証実験の第２日の間の熱入力および回収された熱のグラフを示す。
【図２１】磁気流体処理装置の第１の実施形態の略側面断面図を示す。
【図２２】磁気流体処理装置を横切る断面図を示す。
【図２３】外部磁石カートリッジの側面断面図を示す。
【図２４】内部磁石カートリッジの側面断面図を示す。
【図２５】複式磁気流体処理装置の平面図を示す。
【発明を実施するための形態】
【００５７】
本発明のより良好な理解のために、またその実施形態がいかにして実施され得るかを示すために、例証として、添付図面に言及する。
【００５８】
図２１において、燃料処理装置６は、既存の燃料供給管７に嵌着されるように構成されており、複数の外部磁石カートリッジ１０がそれぞれ挿入される２つの周囲箱形区画８および９を備える。燃料処理装置６はまた、指定の磁界間隙を伴い複数の燃料流路１３を形成するコンジット１２の内部に挿入される内部磁石カートリッジ１１を備える。装置はまた、新規プラント施設におけるような新規の配管に嵌着されるかもしれない。流体供給コンジットの断面積に対する流体流路１３の全断面積の比率は、約１：１．５〜１：２．５である。磁石カートリッジ１０および１１間の距離は約１０〜６０ｍｍである。磁石カートリッジ１０、１１が延在する流路１３の区間の長さに対する流体供給管７の幅の比率は、１：３０〜１：４０の範囲にある。
【００５９】
燃料燃焼地点までの途中で流路１３を通じて燃料処理装置６中を流れる燃料等（図示せず）は、内部磁石カートリッジ１１および外部磁石カートリッジ１０内の磁石２８、２９、３０（図２３、２４）の磁界によって影響を受ける。それは、後述の通り、より効率的な燃焼プロセスをもたらす。
【００６０】
燃料処理は、油およびガスといった化石燃料または等価な燃料種別とすることができる。
【００６１】
さらに詳細には、燃料処理装置６は、ボルト１４によってコンジット１２の周囲で一体に固定される脱着可能な箱形区画を形成する２つの部分８および９（図２２参照）を備える。部分８および９はまた、外部磁石カートリッジ１０を適位置に固定し、それらをコンジット１２と平行に保持する。内部磁石カートリッジ１１は、コンジット１２の内部で上下の取付具１５、１６間に適位置に固定され、それらは必要な時に内部磁石カートリッジを滑らかに出し入れすることを可能にする。
【００６２】
コンジット１２は、非フェライト鋼または非電炉鋼で作られているとしてよく、一般に非磁性管と呼ばれ、それは、経時的に磁化することなく、外部磁石カートリッジ１０または内部磁石カートリッジ１１によって生成される磁界の磁気特性を変えないことから選択される。類似の特性を有する材料もまた使用できるであろう。
【００６３】
図２１に戻って、内部磁石カートリッジ１１は、燃料処理装置６内を流れる燃料を流路１３に向かわせ、燃料の滑らかな流れを保証する働きをするバッフルと一般に呼ばれる先頭および後尾導流器１７を有する。
【００６４】
コンジット１２の一端にはフランジ１８が取り付けられており、これは、内部磁石カートリッジ１１を燃料処理装置６に滑らかに出し入れするのを可能にするためにコンジット１２と同じ内径の開口を有する。またやはりコンジット１２と同じ内径の開口を有する第２のフランジ１９が、コンジット２０に取り付けられており、これは燃料供給管７の寸法までコンジット１２を縮小させる円錐体の形状をしているかもしれない。コンジット２０は、燃料供給７との嵌合のために要求される構成に応じて、第２のフランジ２１が取り付けられるか、またはねじが切られるかもしれない（図示せず）。フランジ１８および１９は、ボルト３１を用いて一体に取り付けられ得る。
【００６５】
コンジット１２の他方の端には、コンジット１２を燃料供給管７の寸法まで縮小させる円錐体の形状をしているかもしれないコンジット２２が取り付けられている。コンジット２２は、燃料供給７との嵌合のために要求される構成に応じて、フランジ２３が取り付けられるか、またはねじが切られるかもしれない（図示せず）。
【００６６】
フランジ１８、フランジ１９、コンジット２０、フランジ２１、コンジット２２およびフランジ２３は、非フェライト鋼または非電炉鋼（一般に非磁性と言われる）で作られているとしてよく、それは、経時的に磁化することなく、外部磁石カートリッジ１０および内部磁石カートリッジ１１によって生成された磁界を既存の供給管７を伝って消散させないことから選択される。それはまた、燃料に対する磁気効果も消散させないであろう。
【００６７】
燃料処理装置６のドウェル長さ２４は、供給管７の流動面積、磁界間隙および磁化と燃焼との間の時間によって決定されるであろうし、また、燃料流量、燃料圧力および燃料種別も考慮されるかもしれない。
【００６８】
流路１３の流動面積および幅は、供給管７の流動面積、磁界間隙および磁化と燃焼との間の時間によって決定されるであろうし、また、燃料流量、燃料圧力および燃料種別も考慮されるかもしれない。
【００６９】
図２２は、燃料処理装置６の横断面を示している。外部磁石カートリッジ１０は、複数の磁石２８、２９、３０（図２３）が挿入されるコンジットより構成される。コンジット３２は、一般に非磁性と言われる非フェライト鋼または非電炉鋼で作られているとしてよい。
【００７０】
内部磁石カートリッジ１１は、上部および下部の周囲箱形区画２５および２６、ならびに分離板２７を備える。上部および下部の周囲箱形区画は、複数の磁石２８、２９、３０（図２４）が挿入される２つのコンジットを形成するために分離板２７に取り付けられている。上部および下部箱形区画２５および２６は、一般に非磁性と言われる非フェライト鋼または非電炉鋼で作られているとしてよい。分離板２７は、一般に磁性と言われるフェライト鋼または電炉鋼で作られているとしてよい。
【００７１】
燃料処理装置６の第２の実施形態が図２５に示されており、燃料処理装置６は、マトリ
ックスと呼ばれる群に装着された複数の燃料処理装置６が存在し得ること以外、類似の方式で構成されている。図２５は、マトリックスにおける２個の燃料処理装置６を図示している。コンジット３３は、燃料供給管７と同じ直径である１つのコンジット直径から燃料処理装置６のコンジット直径と同じである２つのコンジット直径へと分岐している。コンジット３３の一端はフランジ３５に取り付けられており、それは転じて燃料供給管７のフランジ３４にボルト３７で締結され得る。両端は各々、転じて燃料処理装置６にボルト３７で締結され得るコンジット３３に取り付けられたフランジ３６を有する。
【００７２】
コンジット３３、フランジ３５およびフランジ３６は、一般に非磁性と言われる非フェライト鋼または非電炉鋼で作られているとしてよい。
【００７３】
図２５は、燃料処理装置６の二重マトリックスを図示しているが、３、４、５、６、…の分岐またはマトリックスにおいて設置された多数の装置が存在し得る。燃料処理装置６の数は、燃料供給管７の燃料流動面積、磁界間隙、ドウェル長さ、燃料の種別および品質、磁化と燃焼との間の時間に依存するであろう。
【００７４】
ファクタを変えた多くの磁気流体処理装置の広範にわたる試験は、以前の装置に比べて特に有利な燃料効率を付与する装置の製造を可能にした。
【００７５】
従来の装置は、燃料管の一部分を横切って及ぶだけにすぎない磁界に起因する不均一な磁化をもたらしていた。磁石が９０°の角分離で燃料管の周りに固定されている磁気流体処理装置の場合、５ｃｍを超える直径の管について不利益が認められた。これは、磁界の減衰のためにより少ない燃料の部分を通過する磁界に起因している。磁石はまた、種々の角分離で管の周りに固定されるかもしれない。
【００７６】
得られる燃料効率のレベルを調節するうえで重要な役割を果たすとわかったファクタは、磁界の強さ、磁界間隙、磁石の極の構成および整列、ドウェル時間（燃料が磁界にさらされる時間）、磁化と燃焼との間の時間、燃料圧力、および装置内での燃料流路の全体形状を含む。特に、燃料がその中を流れる磁界の均一性は、特に関連が深いとわかった。
【００７７】
磁気流体処理装置の効果を測定するために、英国ノッティンガムシア州ラトクリフのパワージェン（Powergen）燃焼試験施設で一連の試験が行われた。
【００７８】
試験は、燃焼室内で水平方向に燃焼する単一バーナで燃焼される重質燃料油（Heavy Fuel Oil）を使用し、１ＭＷ（ｔｈ）試験施設において磁気流体処理装置で行われた。
【００７９】
この種の全部の燃焼試験と同様に、バーナの品質、その設置および設定は極めて高品質なものであり、燃焼効率は磁気流体処理装置がその最大の適用可能性を見出すはずである典型的な産業用途を十分に上回っている。より代表的な燃焼条件を付与するために効果的にバーナの定格を低下させる手順が確立された。
【００８０】
バーナ特性を確定してから、多様な試験が、初めにバーナのベースライン性能を確立した後、後述の通り、全体性能への磁気流体処理装置の影響を調査することに着手するために行われた。
【００８１】
パワージェンのラトクリフ研究所の１ＭＷ（ｔｈ）燃焼試験施設は、発電業で使用されるような大型の水管ボイラにおいて見られる火炎状態、炉滞留時間および温度プロフィールを再現するために設計されている。
【００８２】
試験装置は、サンプリングおよび測定を可能にする多様なアクセスポートを備えている
。全自動データロギング機能が設けられている。
【００８３】
試験装置は、重質燃料油で燃焼する水平単一Ｙジェット形ツイン流体噴霧器バーナ（horizontal single Y jet twin fluid atomiser burner）が装備されていた。
【００８４】
システムは、燃焼室への一次、二次および三次空気流量の完全な独立制御を可能にした。標準構成において、燃焼空気は予熱され、三次：二次空気分割は３．５：１である。
【００８５】
初期試験結果は、その機器構成が極めて低いＣＯレベルにより極めて効率的であることを示した。ＣＯ値の増加が認められる絶対値および過剰酸素の両方とも、典型的な産業用バーナに比べて極めて低い。
【００８６】
典型的な産業用ボイラのより現実的な提示を提供しようと試みるために、バーナは、全ＣＯ濃度を増大させＣＯ破過点を高めるように調整がずらされた。これらの効果は、（予熱した燃焼空気ではなくむしろ）燃焼用空気周囲温度を使用して達成された。
【００８７】
これらの変更は全体の燃焼性能に影響を及ぼした。主要な影響は、約０．２％酸素から約０．６％に移行したＣＯ破過点に対してであった。約１％超の酸素濃度では、これらの変更はまったく影響がなかった。
【００８８】
バーナの設定および有効な基準条件の確立の問題全体は、磁気流体処理装置の実証実験を常に悩ませた。燃焼強化装置は、典型的な産業用途に適用された場合に最も大きい利益を付与することが最も見込めそうであることが常に認められた。
【００８９】
正しく設置、設定、操作および維持された新しいバーナが、極めて高い効率および低いＣＯ排出をもたらすであろう。典型的な産業用バーナは、相対的に不満足な設定および保守、それに対応してより高い排出量によって特徴づけられる。
【００９０】
バーナはより高いＣＯ量を与えＣＯ破過点を低減するように調整がずらされたが、結果は、典型的なスタック酸素レベルが約３〜８％（乾燥）、そしてＣＯレベルが２０〜５０ｐｐｍである典型的な産業用バーナに比べて、依然として極めて良好であった。
【００９１】
性能を低下させたバーナのベースライン測定値が、０．３、０．６および０．９％のスタック酸素レベルについてダミーユニット内を流れる燃料により得られた。
【００９２】
測定値は、熱流束、燃料ガスダクト下方の段における温度、ＣＯレベル、ＣＯ破過点および微粒子填量を含んでいた。
【００９３】
図１ａ、１ｂおよび１ｃは、実証実験の期間中の燃料流量および圧力を示している。見てわかるように、初期始動の間は別として、流量および圧力は極めて安定していた。従って、注目されたあらゆる以降の変化もこれらのパラメータのどちらとも関連がないと結論づけることができる。
【００９４】
図２ａ、２ｂおよび２ｃは、バーナ先端およびバーナの上流の供給管路における地点の燃料温度を示している。
【００９５】
一部のごくわずかな変化（約１℃）が明瞭であるが、これらはシステムの全体的な熱勘定または性能に対する影響の点ではまったく重要ではない。
【００９６】
図３ａ、３ｂおよび３ｃは、ウインドボックス温度を示している。燃料温度と同様に、
若干の変動はあるが、システムの全体的な熱勘定または性能に著しく影響を及ぼすには不十分である。
【００９７】
図４ａ、４ｂおよび４ｃはバーナへの合計空気流量（一次、二次および三次）を示しており、一旦システムが設定されて安定すると、種々の過剰酸素レベルを実現するために要求される合計空気流量の変動を除いては、空気流量は極めて一貫していることがわかる。
【００９８】
図５ａは、約３：１の一次：二次空気比によるバーナの初期設定を実証している。これはその後、試験手順の一部として約１：１まで引き下げられた。
【００９９】
図６ａ、６ｂおよび６ｃに示された燃焼室温度は、主に測定装置の正確な位置決定および較正の問題のために、正確に測定することが周知の通り困難である。
【０１００】
図からわかるように、（平均値に関して約±２０℃で）信号に若干のノイズがあるが、これは予想されたものであり、火炎に関係する一般的なノイズおよび変動を反映している。
【０１０１】
多数の熱電対が燃料ガスダクトの長さの下方に配置され、燃料ガスの温度を測定するために使用されている。熱は、典型的な発電所ボイラのそれを反映していると言われるプロフィールにより燃料ガスダクトから除去される。
【０１０２】
図７ａ、ｂおよびｃは、実証実験の期間中の温度プロフィールを示している。見てわかるように、出口温度は約７４０℃に低減しており、それは典型的ボイラにおける燃料ガスからの合計熱回収の小部分を表しているにすぎない。しかし、伝熱面積は一定であり、種々の作業条件下での燃焼室からの出口とユニットからの出口との間の温度降下のいずれかの差は、全伝熱効率の変化を表しているとみなすことができる。
【０１０３】
図８ａ〜８ｃはスタック酸素を示している。ある程度の“ノイズ”は予想されるものとしてこれらの図から明らかであるが、全体の制御は良好である。全体として、異なる運転状況が、０．３、０．６および０．９％のスタック酸素レベルに対応して見ることができる。
【０１０４】
これらのスタック酸素レベルが典型的な産業用ボイラ設備で通常見られるはずのそれらよりも著しく低いことを強調することは重要である。
【０１０５】
図９ａ〜９ｃは、試験の期間中の対応するＣＯ２レベルを示している。
【０１０６】
図９ｂは比較のためにスタック酸素レベルを含み、予想通り、ＣＯ２濃度はスタック酸素が希釈因数の変化と同調して減少するにつれて増大することがわかる。
【０１０７】
図１０ａ、１０ｂおよび１０ｃは、スタック酸素に対してグラフ化されたＣＯの全体結果を示している。予想通り、約１％を超える酸素レベルについて、ＣＯレベルはほぼ３０ｐｐｍで無視できる。
【０１０８】
スタック酸素レベルが０．３〜０．６％まで低減すると、ＣＯレベルは予想されたように増大する。低スタック酸素レベルで運転した場合に結果の極めて広い広がりが顕著である。
【０１０９】
図１１ａおよびｂは、磁気強化装置の使用（または使用しない場合）によって差異が認められるスタック酸素に対するＣＯを例示している。
【０１１０】
図１１ａから、磁気装置が稼動した時にＣＯレベルの明らかなまたは著しい変化が存在しないことは明瞭である。図１１ｂ（第２日および第３日の結果）は、ダミーユニットに切り換えて戻した時点で測定されたＣＯレベルの著しい低減を示しており、それは、その間に何らかの他の作用が存在していない限り経験にそぐわない。
【０１１１】
潜在的な作用は、供給配管の活性化をもたらした遅延期間、または二次：三次空気比の変化の結果を含む。
【０１１２】
図１２は、第２日（当該データが入手可能な唯一の日）の間の二次：三次空気比の関数としてのＣＯレベルを示している。最小示度は不変のままであるが磁石が作用している時にＣＯ示度の範囲の増大の何らかの証拠が存在することがわかる。典型的な産業用途と比較した時に絶対レベルは磁石の有無の両方での運転について極めて低いままであることに留意しなければならない。また、二次：三次空気比が減少するにつれてＣＯレベルの全体的な増加が存在することにも留意しなければならない。
【０１１３】
図１３ａ、１３ｂおよび１３ｃは、Ｕ字管出口で測定されたＳＯ２レベルをグラフ化している。ＳＯ２レベルは、供給燃料油の硫黄分によって事実上決定される。第２日の間におけるＳＯ２レベルの急激な増加は、以下の燃料分析テーブルから明白に示されるようにサンプル２および３の間での燃料油組成の変化に帰せられる。
【０１１４】
【表１】
2010060277.tif 000003
表１−燃料分析
【０１１５】
ＮＯｘ排出は多くの複雑な形成機構に起因するので、従ってＮＯｘレベルは多くのファクタによって影響される。
【０１１６】
図１４ａ、１４ｂおよび１４ｃは、試験の期間中のＮＯｘレベルをグラフ化している。図１４ａは、配備および設定作業の間におけるＮＯｘレベルの相当の変動を示しているが、運転が確立されるとレベルはある程度安定することも示している。
【０１１７】
図１４ｂ（第２日）はＮＯｘレベルの全般的な上昇傾向を示しており、１４ｃ（第３日）は運転停止シーケンスが開始されるまでの著しく安定した運転を示している。
【０１１８】
第１日および第２日は、それらが過剰空気および二次：三次空気比に関して多くの異なる作業条件での運転を含むことから、特に興味深い。
【０１１９】
ＮＯｘ形成に影響する種々のファクタを区別する試みとして、その結果はスタック酸素レベルおよび二次：三次空気流量に対してグラフ化し直された。
【０１２０】
図１５ａおよびｂは、スタック酸素レベルに対するＮＯレベルをグラフ化しており、これらの図から、磁気装置がＮＯレベルにいかなる重大な作用も及ぼしていないことは明白である。
【０１２１】
同様に、図１６ａおよび１６ｂは、二次：三次空気比の変化の結果としてＮＯレベルにいかなる重大な変動も示していないが、ＮＯレベルの小さな変動を示唆するある種の証拠が存在する。
【０１２２】
多数の温度測定値が実験装備内の各地点で入手可能である。ガス温度は、ガス温度の信頼できる示度を付与するためにガス流中の十分奥に配置された多数のセラミックシーズ付き熱電対と一緒にキュークロープス単色赤外高温計を用いて測定される。
【０１２３】
温度データは実験作業の３日間にわたり図１７ａ、１７ｂおよび１７ｃにグラフ化されており、それは試験の経過中の温度の基本的変動を示している。
【０１２４】
図１８ａおよび１８ｂは、差異が認められた磁石およびダミーユニット結果によりスタック酸素含量の関数としてグラフ化し直された燃焼室温度データを示している。
【０１２５】
第１日（図１８ａ）について、比較データは０．６％のスタック酸素含量に関連しており、磁石を用いた火炎温度がダミーユニットのそれよりも高いことは検査によって明白である。
【０１２６】
この結論は結果の統計分析によって裏付けられており、それは９９％の信頼水準において（すなわち、結論が無効であるという１％の確率が存在する）、磁石を備えるシステムの平均火炎温度がダミーユニットで運転するシステムの場合よりも大きい（この場合約１５℃）ことを実証している（表１参照）。
【０１２７】
磁石をまったく備えないダミーハウジング内を燃料が流れるシステムのベースライン性能を確立してから、磁気流体処理装置の“作動状態の”調節ユニット（装置１および装置２）が試験された。
【０１２８】
試験継続期間は表１に要約されている。
【０１２９】
【表２】
2010060277.tif 000004
表２−ダミーおよび装置１（第１日）の燃焼室温度の比較
【０１３０】
平均（磁石）−平均（ダミー）＝０（すなわち、母集団は同じである）という帰無仮説について２母集団推論試験を適用すると、９９％の信頼水準で、母集団の平均値の差は事際には１５．２５〜１５．３５であることが示される。帰無仮説値（０）がこの範囲外にあるので、２つの母集団の平均値は異なるということが９９％の信頼水準で結論づけることができる。従って、磁気燃料前処理装置の適用によって火炎温度が高められるという証拠が存在する。
【０１３１】
第２日の対応するデータは逆の作用、すなわち、火炎温度が表２に示すように磁気ユニ
ットよりもむしろダミーによる運転の場合について同じであるか、またはたぶんわずかに高いことを示している。
【０１３２】
【表３】
2010060277.tif 000005
表３−ダミーおよび磁石（装置１）（第２日）の燃焼室温度の比較
【０１３３】
さらなる分析は、システムからの完全な潜在的結果を実現する試みとして着手されたスタック酸素レベルおよび二次：三次空気レベルの変更により、磁石条件についての一貫した作業データの不足のために磁石／非磁石条件間の有意な比較を行うことができないことを示す。スタック酸素レベルおよび二次：三次空気流量の変動は図２０に示されている。
【０１３４】
一定の伝熱面積を備える試験施設のようなシステムについては、比較のための全熱効率の大ざっぱな尺度が次のように定義され得る。
効率＝回収された熱／熱入力
ここで、熱入力は、燃料流量に燃料の発熱量を掛けたものとして定義され得る。
【０１３５】
この定義は、入力空気流量および温度の変化の影響を除外しているが、この場合、入口空気温度の変化は取るに足りないものであり、一定の燃料流量およびスタック酸素レベルに基づき行われた効率の比較には、これらの影響が無視できることが示された。
【０１３６】
回収された熱はこの比較のために次のように定義される。
回収された熱＝燃料ガス質量流量×燃料ガスの平均比熱容量×温度差（燃焼室−スタック）
【０１３７】
定義によって、いずれの空気漏れもない場合、合計燃料ガス流量は、燃料質量流量と合計空気流量（両方とも直接測定したもの）との和である。
【０１３８】
燃料ガスの比熱容量は温度により異なるが、スタック放出温度の差が絶対値に比べて小さいので、比較のために燃料ガスの比熱容量の一定の平均値を使用することは許される。
【０１３９】
燃料ガス温度差は、燃焼室温度と出口温度の平均との差として定義される。
【０１４０】
上記の計算は試験ユニットの熱効率の絶対的な決定を表していないが、それは、システム内の別の場所での作業条件の類似性を保証するために大きな配慮（産業用ボイラ設備では一般に見られない事柄）がなされる限り、種々の条件下での性能の比較のための適切な基礎を提供する。
【０１４１】
２つの期間が比較のために以下の通り選定され、装置１（第１日）および装置２（第２日）を反映している。
【０１４２】
【表４】
2010060277.tif 000006
表４−磁気流体処理装置の効率、第１日−装置１
【０１４３】
効率の小さな増加が装置１の適用の結果としてこれらの結果から明らかであることは、明白である。
【０１４４】
平均効率（装置１）−平均効率（ダミー）＝０（すなわち、母集団は同じである）という帰無仮説について２母集団推論試験を適用すると、９９％の信頼水準で、母集団の平均値の差は実際には０．１０〜０．４９７であることが示される。帰無仮説値（０）がこの範囲外にあるので、２つの母集団の平均値は異なるということが９９％の信頼水準で結論づけることができる。
【０１４５】
従って、磁気燃料処理装置の適用が効率に有益な影響を及ぼしたという証拠が存在する。
【０１４６】
【表５】
2010060277.tif 000007
表５−磁気流体処理装置の効率、第２日（装置２）
【０１４７】
これらの結果は、装置２の適用による効率の極めてわずかな低下を示しており、その結論は（ちょうど）９９％の信頼水準に当てはまることが確認される。しかし、その時点で着手されているシステムの他の変更のために、装置２の条件について入手可能な定常状態データは相対的にほとんどなかった。また、全効率が第１日の場合よりも著しく低いことも明白である。
【０１４８】
図２０の分析は、総熱入力がかなり相当に一定のままであるが、回収される熱はこれらの結果が収集された日の最後の期間に著しく変化していることを示す。図５ｂの参照により、これが、外部／内部空気比が調整されていた（二次：三次空気比）期間と強く合致することが示されるであろう。
【０１４９】
全燃焼効率および（相対的に）小規模の変化を測定しようとする試みは、結果に影響し得る種々のファクタの数のために周知の通り困難であることが知られている。
【０１５０】
燃料の試験が行われた試験装置は、燃焼効率に影響を及ぼす種々のパラメータがそれらによって評価および定量化され得る例外的範囲の施設を代表している。
【０１５１】
全部の実験室試験と同様に、バーナの条件および設定、ならびに現場において一般的に見られるものと類似の作業条件を確立するという問題は、解決されないままである。この場合、試験のためにバーナ性能の定格を低下させたにもかかわらず、それは典型的な産業用務において出会いそうなあらゆるオイルバーナよりも桁違いに良好なままである。従って、試験装置の性能のあらゆる改良の範囲は、産業用務における典型的なバーナによるよりもはるかに限定される。
【０１５２】
全体として、故意に導入された変更は別として、試験装置の性能は極めて一貫していた。
【０１５３】
燃料を装置１に通すことにより、それ以外は、静的条件下で全燃焼効率の統計的に有意な増加をもたらしたという統計的に有意な証拠が存在する。
【０１５４】
作業条件のあらゆる他の変化に関連しない装置１または装置２の使用の結果としてのＣＯレベルの変化についていかなる有意な証拠も存在しないが、やはり再度、観察されたＣＯレベルが典型的な産業用ボイラ設備で観察されるどれよりも極めて著しく低いということを強調しなければならない。
【０１５５】
従って、これらの結果に基づき、磁気装置１および２が表４に示す通り燃焼効率を０．３％ポイント（全体として約１．７％）改善したということを９９％の確信度で言うことが可能である。
【０１５６】
従って、磁気流体処理装置は、燃料の磁気処理に現在使用可能な装置に優るいくつかの利点を有する。磁気流体処理装置は、ユニットの範囲にわたって燃焼を強化する単純で費用効率の高いストレートインライン形装置である。
【０１５７】
試験において実証された増大した効率は、同じ熱量が他の磁気流体処理装置または装置を使用しない場合よりも少ない燃料で、達成できるので、コスト節減を提供する。磁気流体処理装置は、そのいっそう改善された効率のために、燃焼装置のより少ない保守をもたらすよりきれいな燃焼を付与する。
【０１５８】
よりきれいな燃焼とともに低減した燃料使用量は、燃焼プロセスからの二酸化炭素のような有害な汚染物質の放出を低減する効果を有する。
【０１５９】
磁気流体処理装置はまた、その容易な設置により有利である。装置は、既存の燃料管への挿入および取り出しを可能にする特殊設計のハウジング内に収容される。
【０１６０】
従って、磁気流体処理装置は、燃料の磁気処理に現在使用可能な装置に優るいくつかの利点を有する。磁気流体処理装置は、ユニットの範囲にわたって燃焼を強化する単純で費用効率の高いストレートインライン形装置である。
【０１６１】
実証試験において実証された増大した効率は、同じ熱量が他の磁気流体処理装置または装置を使用しない場合よりも少ない燃料で、達成できるので、コスト節減を提供する。磁気流体処理装置は、５％を超える燃料コスト節減を達成することができ、それは設置および保守に関係するコストを当然上回るはずである。
【０１６２】
磁気流体処理装置は、そのいっそう改善された効率のために、燃焼装置のより少ない保守をもたらすよりきれいな燃焼を付与する。これは、燃焼装置のより少ない休止時間に、従って効率の増大につながる。
【０１６３】
よりきれいな燃焼とともに低減した燃料使用量は、燃焼プロセスからの二酸化炭素のような有害な汚染物質の放出を低減する効果を有する。
【０１６４】
磁気流体処理装置はまた、その容易な設置により有利である。装置は、既存のまたは新規の燃料管への挿入および取り出しを可能にする特殊設計のハウジング内に収容される。磁気流体処理装置は、燃焼装置のコスト節減およびより大きい効率という利益を生み出すために改善された燃焼可能性を提供する。
【０１６５】
他の実施形態において、図２１に図示された実施形態の流体供給管７および流路１０、１１の相対寸法は、上述の利益を有する装置を提供するために上述した本発明に従って変更することができる。
【０１６６】
読者の注意は、この出願に関連するこの明細書と同時または以前に出願され、この明細書により公の精査に公開されている、全部の書類および文書に向けられており、全部のそのような書類および文書の内容は参照によってここに採り入れられる。
【０１６７】
この明細書（あらゆる添付のクレーム、要約および図面を含む）に開示された特徴の全部、および／またはそうして開示されたあらゆる方法またはプロセスのステップの全部は、そのような特徴および／またはステップの少なくとも一部が相互に排他的である組合せを除き、あらゆる組合せにおいて結合され得る。
【０１６８】
この明細書（あらゆる添付のクレーム、要約および図面を含む）に開示された各々の特徴は、別段に明白に記載されていない限り、同一、等価または類似の目的を果たす代替的な特徴と取り替えられ得る。従って、別段に明白に記載されていない限り、開示された各々の特徴は、一般的な一連の等価または類似の特徴の１例にすぎない。
【０１６９】
本発明は、前述の実施形態（単数または複数）の詳細に制限されない。本発明は、この明細書（あらゆる添付のクレーム、要約および図面を含む）に開示された特徴のいずれかの新規な一つ、またはいずれかの新規な組合せ、またはそうして開示されたあらゆる方法またはプロセスのステップのいずれかの新規な一つ、またはいずれかの新規な組合せに及ぶ。
【符号の説明】
【０１７０】
６  燃料処理装置
７  燃料供給管
８、９  周囲箱形区画
１０  外部磁石カートリッジ
１１  内部磁石カートリッジ
１２  コンジット
１３  流体流路
１４  ボルト
１５、１６  取付具
１７  導流器
１８、１９  フランジ
２０  コンジット
２１  フランジ
２２  コンジット
２３  フランジ
２５、２６  箱形区画
２７  分離板
２８、２９、３０  磁石
３１  ボルト
３２、３３  コンジット
３４、３５、３６  フランジ
３７  ボルト
【図１ａ】
2010060277.tif 000008
【図１ｂ】
2010060277.tif 000009
【図１ｃ】
2010060277.tif 000010
【図２ａ】
2010060277.tif 000011
【図２ｂ】
2010060277.tif 000012
【図２ｃ】
2010060277.tif 000013
【図３ａ】
2010060277.tif 000014
【図３ｂ】
2010060277.tif 000015
【図３ｃ】
2010060277.tif 000016
【図４ａ】
2010060277.tif 000017
【図４ｂ】
2010060277.tif 000018
【図４ｃ】
2010060277.tif 000019
【図５ａ】
2010060277.tif 000020
【図５ｂ】
2010060277.tif 000021
【図５ｃ】
2010060277.tif 000022
【図６ａ】
2010060277.tif 000023
【図６ｂ】
2010060277.tif 000024
【図６ｃ】
2010060277.tif 000025
【図７ａ】
2010060277.tif 000026
【図７ｂ】
2010060277.tif 000027
【図７ｃ】
2010060277.tif 000028
【図８ａ】
2010060277.tif 000029
【図８ｂ】
2010060277.tif 000030
【図８ｃ】
2010060277.tif 000031
【図９ａ】
2010060277.tif 000032
【図９ｂ】
2010060277.tif 000033
【図９ｃ】
2010060277.tif 000034
【図１０ａ】
2010060277.tif 000035
【図１０ｂ】
2010060277.tif 000036
【図１１ａ】
2010060277.tif 000037
【図１１ｂ】
2010060277.tif 000038
【図１２】
2010060277.tif 000039
【図１３ａ】
2010060277.tif 000040
【図１３ｂ】
2010060277.tif 000041
【図１３ｃ】
2010060277.tif 000042
【図１４ａ】
2010060277.tif 000043
【図１４ｂ】
2010060277.tif 000044
【図１４ｃ】
2010060277.tif 000045
【図１５ａ】
2010060277.tif 000046
【図１５ｂ】
2010060277.tif 000047
【図１６ａ】
2010060277.tif 000048
【図１６ｂ】
2010060277.tif 000049
【図１７ａ】
2010060277.tif 000050
【図１７ｂ】
2010060277.tif 000051
【図１７ｃ】
2010060277.tif 000052
【図１８ａ】
2010060277.tif 000053
【図１９ａ】
2010060277.tif 000054
【図１９ｂ】
2010060277.tif 000055
【図２０】
2010060277.tif 000056
【図２１】
2010060277.tif 000057
【図２２】
2010060277.tif 000058
【図２３】
2010060277.tif 000059
【図２４】
2010060277.tif 000060
【図２５】
2010060277.tif 000061